(57)【要約】【課題】部品点数、製造コスト、および組立工数を低減するとともに、同軸コネクタの小型化を実現する同軸コネクタおよびコネクタ装置を提供すること。【解決手段】グランド導体６３と信号導体６２とを有する接続対象６０を保持し、相手側コネクタ７０と嵌合する同軸コネクタ１０であって、接続対象６０を保持するシェル２０を備え、シェル２０は、シェル接触部３１を有した第１シェル部３０と、シェル接続部４３、４４を有した第２シェル部４０と、相手側コネクタ７０との嵌合方向に見た場合に、接続対象６０の信号導体６２の接触部６２ａが筒状のシェル接触部３１の内側に位置するように、接続対象６０を位置決めするための位置決め部４２、４５、４７、４８と、接続対象６０を固定するための固定部４８とを有している同軸コネクタ１０。【選択図】図３
2014082119.tif 000002
【特許請求の範囲】
【請求項１】
グランド導体と平板部のおもて面に配置された信号導体とを有する接続対象を保持した状態で、相手側コネクタと嵌合することによって、前記接続対象と前記相手側コネクタとの間を電気的に接続する同軸コネクタであって、
前記接続対象を保持するための導電性のシェルを備え、
前記シェルは、
前記相手側コネクタの相手側シェルに接触するための筒状のシェル接触部を有した第１シェル部と、
前記接続対象の前記グランド導体と接続するためのシェル接続部を有した第２シェル部と、
前記相手側コネクタとの嵌合方向に見た場合に、前記接続対象の前記信号導体の接触部が前記筒状のシェル接触部の内側に位置するように、前記接続対象を位置決めするための位置決め部と、
前記接続対象を固定するための固定部と、
を有していることを特徴とする同軸コネクタ。
【請求項２】
前記シェルは、前記シェル接触部を前記第２シェル部に固定するための固定手段を有していることを特徴とする請求項１に記載の同軸コネクタ。
【請求項３】
前記シェルは、前記接続対象が延びる方向において前記接続対象に係合する係合部を有し、
前記係合部は、前記位置決め部としても機能することを特徴とする請求項１または請求項２に記載の同軸コネクタ。
【請求項４】
前記シェルは、前記接続対象が前記位置決め部によって位置決めされた際に前記接続対象の前記平板部の裏面に対向する位置に形成され、前記接続対象の前記接触部を前記相手側コネクタの相手側コンタクト側に向けて押圧するためのバネ部を有していることを特徴とする請求項１乃至請求項３のいずれか１項に記載の同軸コネクタ。
【請求項５】
前記接続対象の前記グランド導体は、前記信号導体の前記平板部の裏面に配置され、
前記バネ部は、前記シェル接続部としても機能することを特徴とする請求項４に記載の同軸コネクタ。
【請求項６】
前記シェルは、前記第１シェル部と前記第２シェル部とを連結する連結部を有し、前記連結部により前記第１シェル部と前記第２シェル部とが一体形成されていることを特徴とする請求項１乃至請求項５のいずれか１項に記載の同軸コネクタ。
【請求項７】
前記シェル接触部には、前記相手側コネクタの前記相手側シェルに嵌合するための嵌合部が形成されていることを特徴とする請求項１乃至請求項６のいずれか１項に記載の同軸コネクタ。
【請求項８】
請求項１乃至請求項７のいずれか１項に記載の同軸コネクタと、前記接続対象とを備えていることを特徴とするコネクタ装置。
【請求項９】
請求項１乃至請求項７のいずれか１項に記載の同軸コネクタと、前記相手側コネクタとを備えていることを特徴とするコネクタ装置。
【発明の詳細な説明】
【技術分野】
【０００１】
本発明は、同軸コネクタおよびコネクタ装置に関し、特に、平板部を有した接続対象の接続に使用できる同軸コネクタに関する。
【背景技術】
【０００２】
従来、図１１に示すように、同軸ケーブル１５０の内部導体１５１に接続される接続端子１２０と、同軸ケーブル１５０の外部導体１５２に接続される金属製のシェル１３０と、接続端子１２０とシェル１３０との間に介在する絶縁部１４０とを備える同軸コネクタ１１０が知られている（例えば、特許文献１参照。）。なお、図１１の符号１５３は、同軸ケーブル１５０の外部被膜を示し、図１１の符号１５４は、同軸ケーブル１５０の絶縁体を示している。
【先行技術文献】
【特許文献】
【０００３】
【特許文献１】特開２００２−３２４６３６号公報
【発明の概要】
【発明が解決しようとする課題】
【０００４】
ところが、特許文献１の同軸コネクタ１１０では、同軸ケーブル１５０を同軸コネクタ１１０に接続するにあたり、同軸ケーブル１５０の外部導体（シールド線）１５２の結線作業が煩雑であり、組立工数の増加を招いているという問題があった。
【０００５】
また、特許文献１の同軸コネクタ１１０では、相手側コネクタ（図示しない）の相手側コンタクト（図示しない）に接触するための接続端子１２０を設けているため、この接続端子１２０の分だけ部品点数が多くなり、製造コストが増加するとともに、同軸コネクタ１１０の小型化が阻害されるという問題があった。
【０００６】
そこで、本発明は、従来の問題を解決するものであって、すなわち、本発明の目的は、部品点数、製造コスト、および組立工数を低減するとともに、同軸コネクタの小型化を実現する同軸コネクタおよびコネクタ装置を提供することである。
【課題を解決するための手段】
【０００７】
本発明の同軸コネクタは、グランド導体と平板部のおもて面に配置された信号導体とを有する接続対象を保持した状態で、相手側コネクタと嵌合することによって、前記接続対象と前記相手側コネクタとの間を電気的に接続する同軸コネクタであって、前記接続対象を保持するための導電性のシェルを備え、前記シェルは、前記相手側コネクタの相手側シェルに接触するための筒状のシェル接触部を有した第１シェル部と、前記接続対象の前記グランド導体と接続するためのシェル接続部を有した第２シェル部と、前記相手側コネクタとの嵌合方向に見た場合に、前記接続対象の前記信号導体の接触部が前記筒状のシェル接触部の内側に位置するように、前記接続対象を位置決めするための位置決め部と、前記接続対象を固定するための固定部と、を有していることにより、前述した課題を解決したものである。
【０００８】
前記シェルは、前記シェル接触部を前記第２シェル部に固定するための固定手段を有していてもよい。
【０００９】
前記シェルは、前記接続対象が延びる方向において前記接続対象に係合する係合部を有し、前記係合部は、前記位置決め部としても機能してもよい。
【００１０】
前記シェルは、前記接続対象が前記位置決め部によって位置決めされた際に前記接続対象の前記平板部の裏面に対向する位置に形成され、前記接続対象の前記接触部を前記相手側コネクタの相手側コンタクト側に向けて押圧するためのバネ部を有していてもよい。
【００１１】
前記接続対象の前記グランド導体は、前記信号導体の前記平板部の裏面に配置され、前記バネ部は、前記シェル接続部としても機能してもよい。
【００１２】
前記シェルは、前記第１シェル部と前記第２シェル部とを連結する連結部を有し、前記連結部により前記第１シェル部と前記第２シェル部とが一体形成されていてもよい。
【００１３】
前記シェル接触部には、前記相手側コネクタの前記相手側シェルに嵌合するための嵌合部が形成されていてもよい。
【００１４】
本発明のコネクタ装置は、前記同軸コネクタと、前記接続対象とを備えていることにより、前述した課題を解決したものである。
【００１５】
本発明のコネクタ装置は、前記同軸コネクタと、前記相手側コネクタとを備えていることにより、前述した課題を解決したものである。
【発明の効果】
【００１６】
本発明では、接続対象と同軸コネクタとの接続時に、同軸ケーブルを用いた場合のような同軸ケーブルのシールド線の結線作業を必要としないため、組立工数を低減できる。
【００１７】
また、本発明では、シェルによって保持される接続対象の信号導体の接触部を、相手側コネクタの相手側コンタクトに接触するためのコンタクトとして利用することで、接続対象の信号導体と相手側コネクタの相手側コンタクトとの間を接続するためのコンタクトを別途に設ける必要がないため、部品点数および製造コストを低減でき、同軸コネクタの小型化を実現できる。
【図面の簡単な説明】
【００１８】
【図１】本発明の第１実施形態の同軸コネクタの使用態様を示す斜視図である。
【図２】同軸コネクタに対する接続対象の取り付けの途中段階を示す斜視図である。
【図３】同軸コネクタに対する接続対象の取り付けが完了した状態を示す斜視図である。
【図４】同軸コネクタを構成するシェルを示す斜視図である。
【図５】接続対象を示す説明図である。
【図６】相手側コネクタを示す斜視図である。
【図７】相手側コネクタを示す断面図である。
【図８】相手側コネクタの変形例を示す断面図である。
【図９】本発明の第２実施形態の同軸コネクタに対する接続対象の取り付けの途中段階を示す斜視図である。
【図１０】本発明の第２実施形態の同軸コネクタに対する接続対象の取り付けが完了した状態を示す斜視図である。
【図１１】従来の同軸コネクタを示す説明図である。
【発明を実施するための形態】
【００１９】
以下、本発明の同軸コネクタの複数の実施形態を図面に基づいて説明する。
【実施例】
【００２０】
本発明の第１実施形態である同軸コネクタ１０は、図１に示すように、接続対象としてのＦＰＣ６０を保持した状態で、相手側コネクタ７０と嵌合することにより、ＦＰＣ６０と相手側コネクタ７０との間を電気的に接続するものである。
【００２１】
同軸コネクタ１０は、図１や図２に示すように、ＦＰＣ６０を保持するための導電性のシェル２０を備えている。
【００２２】
シェル２０は、導電性金属から形成され、図４に示すように、第１シェル部３０と、第２シェル部４０と、第１シェル部３０と第２シェル部４０とを連結する連結部５０とを有し、一体形成されている。
【００２３】
シェル２０の第１シェル部３０は、図４に示すように、相手側コネクタ７０の相手側シェル７２に接触するための筒状のシェル接触部３１と、第１シェル部３０を第２シェル部４０に固定するための第１ロック部３２とを有している。
【００２４】
シェル接触部３１には、図４に示すように、スリット部３１ａが形成されている。このスリット部３１ａを形成することにより、シェル接触部３１にバネ性が付与される。即ち、相手側シェル７２の相手側嵌合部７２ｃによってシェル接触部３１が拡がり、相手側コネクタ７０との嵌合が完了するとシェル接触部３１が元に戻ることによって、シェル接触部３１にバネ性が付与される。また、シェル接触部３１には、図４に示すように、相手側コネクタ７０との嵌合時に相手側コネクタ７０の相手側シェル７２に形成された相手側嵌合部７２ｃに嵌合する嵌合部３１ｂが、その内周面に形成されている（図６参照）。
【００２５】
第１ロック部３２は、図３に示すように、第２シェル部４０の第２ロック部４６に係合することで、第１シェル部３０（シェル接触部３１）を第２シェル部４０に固定する部位である。このように、第１ロック部３２および第２ロック部４６は、シェル接触部３１を第２シェル部４０に固定するための固定手段を構成する。
【００２６】
シェル２０の第２シェル部４０は、図４に示すように、本体部４１と、側壁部４２と、第１バネ部４３と、第２バネ部４４と、係合部４５と、第２ロック部４６と、突起部４７と、固定部４８とを有している。
【００２７】
本体部４１は、その上面にＦＰＣ６０を載せる板状の部位である。側壁部４２は、図４に示すように、本体部４１の幅方向両側において本体部４１に対して垂直に形成された板状の部位である。
【００２８】
第１バネ部４３は、図４に示すように、本体部４１によって片持ち梁状に支持され、同軸コネクタ１０と相手側コネクタ７０との嵌合方向に弾性変形可能に形成されている。第１バネ部４３は、ＦＰＣ６０を所定位置に保持した状態の同軸コネクタ１０と相手側コネクタ７０とを嵌合させた際に、その上面に載せられたＦＰＣ６０を相手側コネクタ７０側に向けて押圧する。これにより、ＦＰＣ６０の接触部６２ａと相手側コネクタ７０の信号用接触部７１ａとを確実に接触させることができる。また、同時に、第１バネ部４３は、ＦＰＣ６０を所定位置に保持した状態の同軸コネクタ１０と相手側コネクタ７０とを嵌合させた際にＦＰＣ６０のグランド用接続部６３ａに接触する位置に形成されており、ＦＰＣ６０のグランド導体６３と接続するためのシェル接続部としても機能する。
【００２９】
第２バネ部４４は、図４に示すように、本体部４１上に形成され、シェル２０上に設置されたＦＰＣ６０を固定部４８によって固定した際に、ＦＰＣ６０のグランド導体６３を上側に向けて押圧する部位である。第２バネ部４４は一対の固定部４８に対応した位置に一対形成されている。これにより、シェル２０とＦＰＣ６０のグランド導体６３とを確実に接触させることができる。このように、第２バネ部４４は、ＦＰＣ６０のグランド導体６３と接続するためのシェル接続部としても機能する。なお、第２バネ部４４は形成されていなくてもよく、この場合には本体部４１の一部分４１ａがシェル接続部として機能する。
【００３０】
係合部４５は、図４に示すように、一対の側壁部４２にそれぞれ形成され、ＦＰＣ６０の切り欠き部６６に係合するための部位である。具体的には、係合部４５は、図２や図３に示すように、ＦＰＣ６０をシェル２０上の所定位置に設置した状態で、ＦＰＣ６０の切り欠き部６６内に入り込み、ＦＰＣ６０の長手方向においてＦＰＣ６０に係合する。これにより、係合部４５は、ＦＰＣ６０の長手方向におけるＦＰＣ６０の移動を規制し、シェル２０からのＦＰＣ６０の抜けを防止するとともに、シェル２０に対してＦＰＣ６０を位置決めする。このように、係合部４５は、シェル２０に対してＦＰＣ６０を位置決めするための位置決め部としても機能する。
【００３１】
第２ロック部４６は、図４に示すように、一対の側壁部４２にそれぞれ形成され、第１ロック部３２に係合することで、第１シェル部３０と第２シェル部４０とを固定する部位である。
【００３２】
突起部４７は、図４に示すように、少なくとも一つ以上本体部４１上に形成され、シェル２０に対するＦＰＣ６０の取り付け時に、ＦＰＣ６０をガイドするとともに、シェル２０に対してＦＰＣ６０を取り付けた後には、ＦＰＣ６０の位置決め（特に、ＦＰＣ６０の接触部６２ａの位置決め）を行う部位である。なお、突起部４７を一対形成して、一対の突起部４７によりＦＰＣ６０の平板部６１の幅方向（ＦＰＣ６０の長手方向と直交する方向）を挟むことによって、ＦＰＣ６０の接触部６２ａの位置決めが更に確実に行なわれる。
【００３３】
固定部４８は、図４に示すように、一対の側壁部４２にそれぞれ形成され、ＦＰＣ６０をシェル２０に固定するための部位である。具体的には、固定部４８は、図３に示すように、ＦＰＣ６０をシェル２０上の所定位置に設置した後にかしめられ（折り曲げられ）、その先端側がＦＰＣ６０の平板部６１の表面（おもて面）側に被さることで、ＦＰＣ６０をシェル２０に固定する。
【００３４】
ＦＰＣ６０は、図５に示すように、細長い薄板状に形成された絶縁性の平板部６１と、平板部６１の表面（おもて面）側に平面状（薄膜状）に形成された信号導体６２と、平板部６１の裏面側に平面状に形成されたグランド導体６３と、信号導体６２を部分的に覆うように平板部６１の表面側に形成された表側絶縁層６４と、グランド導体６３を部分的に覆うように平板部６１の裏面側に形成された裏側絶縁層６５と、ＦＰＣ６０の幅方向の両側に形成された切り欠き部６６とを有している。
【００３５】
信号導体６２は、図５に示すように、相手側コネクタ７０の相手側コンタクト７１に接触するための接触部６２ａを有している。接触部６２ａは、表側絶縁層６４によって覆われておらず外部露出している。
【００３６】
グランド導体６３は、図５に示すように、シェル２０のシェル接続部（本実施形態では第１バネ部４３、第２バネ部４４）と接続するためのグランド用接続部６３ａを有している。グランド用接続部６３ａは、裏側絶縁層６５によって覆われておらず外部露出している。
【００３７】
相手側コネクタ７０は、プリント基板（図示しない）やＦＰＣ（図示しない）等に搭載され、プラグコネクタとしての同軸コネクタ１０と嵌合して電気的に接続するレセプタクルコネクタである。
【００３８】
相手側コネクタ７０は、図６や図７に示すように、ＦＰＣ６０の信号導体６２に接続される導電性の相手側コンタクト７１と、同軸コネクタ１０のシェル２０に接続される導電性の相手側シェル７２と、相手側コンタクト７１および相手側シェル７２を保持し相手側コンタクト７１と相手側シェル７２との間を絶縁する絶縁性の相手側ハウジング７３とを有している。相手側シェル７２は、相手側コンタクト７１の周囲を少なくとも部分的に囲んでいる。
【００３９】
相手側コンタクト７１は、図６や図７に示すように、ＦＰＣ６０の接触部６２ａに接触するための信号用接触部７１ａと、プリント基板（図示しない）の電極パッド（図示しない）上にハンダ付け等により接続される信号用接続部７１ｂと、信号用接触部７１ａと信号用接続部７１ｂとの間に形成されるバネ部７１ｃとを有している。
【００４０】
なお、本実施形態では、図７に示すように、相手側コンタクト７１にバネ部７１ｃを形成することによって、同軸コネクタ１０と相手側コネクタ７０との嵌合時に同軸コネクタ１０の嵌合方向に信号用接触部７１ａが弾性変形するようになっている。しかしながら、シェル２０の第１バネ部４３によって、ＦＰＣ６０の接触部６２ａと相手側コネクタ７０の信号用接触部７１ａとの間の接触信頼性が確保されていることから、図８に示すように、相手側コンタクト７１にバネ部７１ｃを形成することなく、信号用接触部７１ａを相手側ハウジング７３に固定してもよい。
【００４１】
相手側シェル７２は、図６や図７に示すように、シェル２０のシェル接触部３１に接触するためのグランド用接触部７２ａと、プリント基板（図示しない）やＦＰＣ（図示しない）の電気パッド（図示しない）上にハンダ付け等により接続されるグランド用接続部７２ｂとを有している。グランド用接触部７２ａには、シェル２０のシェル接触部３１に形成された嵌合部３１ｂ（図４参照）に適合する形状の相手側嵌合部７２ｃが、その外周面に形成されている。
【００４２】
つぎに、同軸コネクタ１０に対するＦＰＣ６０の取り付け方法について、以下に説明する。
【００４３】
まず、図２に示すように、第１ロック部３２と第２ロック部４６とを係合させておらず、第２シェル部４０に対して第１シェル部３０が僅かに浮いた状態で、シェル２０に対してＦＰＣ６０を挿入して設置する。
【００４４】
具体的には、シェル２０の係合部４５がＦＰＣ６０の切り欠き部６６内に入り込むように、かつ、第１シェル部３０と第２シェル部４０との間（シェル接触部３１と第１バネ部４３との間）にＦＰＣ６０の先端部が入り込むように、シェル２０に対してＦＰＣ６０を挿入する。この際、シェル２０の側壁部４２や突起部４７や固定部４８等がＦＰＣ６０をガイドするガイド部として機能する。
【００４５】
このシェル２０に対してＦＰＣ６０を挿入して設置した状態では、同軸コネクタ１０と相手側コネクタ７０との嵌合方向に見た場合に、ＦＰＣ６０の接触部６２ａが筒状のシェル接触部３１の内側に位置するように、シェル２０によってＦＰＣ６０が位置決めされる。本実施形態では、シェル２０の側壁部４２や係合部４５や突起部４７や固定部４８等がＦＰＣ６０を位置決めする位置決め部として機能する。なお、前記位置決め部の具体的態様は、ＦＰＣ６０（特に、接触部６２ａ）を適切に位置決めするものであれば如何なるものでもよい。
【００４６】
ここで、シェル２０に対してＦＰＣ６０を位置決めした状態では、筒状のシェル接触部３１とＦＰＣ６０の信号導体６２（接触部６２ａ）との間に表側絶縁層６４が介在している等、ＦＰＣ６０の絶縁性の平板部６１および表側絶縁層６４によって、シェル２０とＦＰＣ６０の信号導体６２とが絶縁されている。
【００４７】
最後に、図３に示すように、第１ロック部３２と第２ロック部４６とを係合させるとともに、シェル２０の固定部４８をかしめることで、シェル２０に対してＦＰＣ６０を固定する。
【００４８】
なお、上記では、図２に示すように、第１ロック部３２と第２ロック部４６との係合を解除しておき、第２シェル部４０に対して第１シェル部３０が僅かに浮いた状態で、同軸コネクタ１０に対するＦＰＣ６０の取り付けを開始するものとして説明した。しかしながら、第１ロック部３２と第２ロック部４６とを予め係合させ、第２シェル部４０に対して第１シェル部３０を固定した状態から、同軸コネクタ１０に対してＦＰＣ６０を挿入してもよい。
【００４９】
つぎに、ＦＰＣ６０を所定位置に保持した状態の同軸コネクタ１０に対して、相手側コネクタ７０を接続させる方法について、図１、図３、図４、および図６を参照して以下に説明する。
【００５０】
まず、図１に示すように、相手側コネクタ７０の信号用接触部７１ａとＦＰＣ６０の接触部６２ａとを向かい合わせた状態で、シェル２０の筒状のシェル接触部３１を相手側コネクタ７０に嵌合する。
【００５１】
この際、筒状のシェル接触部３１にはスリット部３１ａが形成されているため、相手側コネクタ７０の挿入によって筒状のシェル接触部３１が一旦は拡がって、その後、シェル接触部３１の嵌合部３１ｂと相手側シェル７２の相手側嵌合部７２ｃとが嵌合すると、筒状のシェル接触部３１が元の形に戻る。
【００５２】
以上のように、シェル接触部３１に対する相手側コネクタ７０の挿入という一動作によって、同軸コネクタ１０と相手側コネクタ７０とを接続することができる。
【００５３】
このようにして得られた本実施形態の同軸コネクタ１０では、ＦＰＣ６０と同軸コネクタ１０との接続時に、同軸ケーブルを用いた場合のような同軸ケーブルのシールド線の結線作業を必要としないため、組立工数を低減できる。
【００５４】
また、シェル２０によって保持されるＦＰＣ６０の接触部６２ａを、相手側コンタクト７１に接触するためのコンタクトとして利用することで、ＦＰＣ６０の信号導体６２と相手側コンタクト７１との間を接続するためのコンタクトを別途に設ける必要がないため、部品点数および製造コストを低減でき、同軸コネクタ１０の小型化を実現できる。
【００５５】
また、シェル２０の係合部４５に、シェル２０からのＦＰＣ６０の抜け出しを防止する機能と、シェル２０に対してＦＰＣ６０を位置決めする機能とを併せて担わせることにより、シェル２０の構造の簡素化を図ることができる。
【００５６】
また、シェル２０の第１バネ部４３を利用して、ＦＰＣ６０の平面状の接触部６２ａと相手側コネクタ７０の信号用接触部７１ａとを接触させる構造を採用することにより、同軸コネクタ１０と相手側コネクタ７０とを嵌合させる嵌合方向における、同軸コネクタ１０の低背化を実現できる。
【００５７】
また、シェル２０の第１バネ部４３がＦＰＣ６０のグランド導体６３と接続するためのシェル接続部としても併せて機能するため、接続工数の削減を図ることができるとともに、シェル２０の構造の簡素化を図ることができる。
【００５８】
また、ＦＰＣ６０の平板部６１および表側絶縁層６４を、シェル２０とＦＰＣ６０の信号導体６２とを絶縁する絶縁物として利用することが可能であるため、シェル２０とＦＰＣ６０の信号導体６２との間を絶縁するための絶縁物を別途に設ける必要がない。
【００５９】
つぎに、本発明の第２実施形態について、図９および図１０に基づいて以下に説明する。なお、以下では、第１実施形態との間の相違点のみを説明し、第１実施形態と同様の機能を有する構成部材には、第１実施形態と同一の参照符号を付している。
【００６０】
ここで、主な相違点として、第１実施形態と第２実施形態とは、シェル２０に対してＦＰＣ６０を固定する方法が異なる。すなわち、第１実施形態では、図２や図３に示すように、ＦＰＣ６０をシェル２０上に設置した後、シェル２０の固定部４８の先端側がＦＰＣ６０上に直接的に被さるように、固定部４８をかしめることにより、ＦＰＣ６０をシェル２０に固定する。これに対して、第２実施形態では、図９および図１０に示すように、第１シェル部３０と第２シェル部４０との間にＦＰＣ６０を挟み込み、シェル２０の固定部４８’の先端側がシェル２０の枠部３３に被さるように、固定部４８’をかしめることにより、第１シェル部３０と第２シェル部４０とを固定し、ＦＰＣ６０をシェル２０に固定する。
【００６１】
具体的に説明すると、第２実施形態では、図９および図１０に示すように、シェル２０の第１シェル部３０が、筒状のシェル接触部３１と、シェル接触部３１に連続して形成された枠部３３と、枠部３３に形成されＦＰＣ６０の切り欠き部６６に係合する係合部３４とを有している。係合部３４は、第１実施形態の係合部４５と同様に機能するため、その説明を省略する。
【００６２】
また、第２実施形態では、図９および図１０に示すように、シェル２０の第２シェル部４０が、本体部４１と、側壁部４２と、第１バネ部４３と、固定部４８’とを有している。固定部４８’は、図１０に示すように、第１シェル部３０と第２シェル部４０との間にＦＰＣ６０を挟み込んだ後に、その先端側が第１シェル部３０の枠部３３に被さるようにかしめられることで、第１シェル部３０と第２シェル部４０とを固定し、ＦＰＣ６０をシェル２０に固定する。
【００６３】
また、第２実施形態においても、第１実施形態と同様に、図９に示すように、第１シェル部３０と第２シェル部４０とを連結する連結部５０が設けられ、シェル２０が一体形成されている。
【００６４】
第２実施形態では、第１バネ部４３や、図９において符号４１ａで示す本体部４１の一部分が、ＦＰＣ６０のグランド導体６３と接続するためのシェル接続部として機能する。また、固定部４８’が、第１シェル部３０（シェル接触部３１）を第２シェル部４０に固定するための固定手段として機能する。また、係合部３４や枠部３３や側壁部４２等が、シェル２０に対してＦＰＣ６０（特に、接触部６２ａ）を位置決めするための位置決め部として機能する。
【００６５】
なお、上述した実施形態では、同軸コネクタのシェルによって保持される接続対象が、ＦＰＣ（Ｆｌｅｘｉｂｌｅ  Ｐｒｉｎｔｅｄ  Ｃｉｒｃｕｉｔ）であるものとして説明したが、グランド導体と平板部の表面に配置された信号導体とを有するものであれば如何なるものであってもよく、例えば、ＦＦＣ（Ｆｌｅｘｉｂｌｅ  Ｆｌａｔ  Ｃａｂｌｅ）であってもよい。また、上記では、接続対象の例として平板部の厚みが薄いＦＰＣやＦＦＣを挙げたが、本発明で対象とする接続対象の平板部の厚みは、如何なるものでもよい。
【００６６】
また、上述した実施形態では、接続対象（ＦＰＣ）の表面に信号導体が形成され、接続対象（ＦＰＣ）の裏面にグランド導体が形成されているものとして説明したが、グランド導体の形成位置は、シェルとの円滑な接続が図ることができる位置であれば如何なる位置でもよく、例えば、信号導体を形成した接続対象（ＦＰＣ）の表面にグランド導体が形成されていてもよい。この場合には、第１実施形態の固定部４８の先端や第２実施形態の枠部３３がシェル接続部として機能する。
【００６７】
上述した実施形態では、第１シェル部３０と第２シェル部４０とは連結部５０により一体形成されていたが、連結部５０近傍に第１シェル部３０と第２シェル部４０とを相互に係合するロック部をそれぞれ設けて、第１シェル部３０と第２シェル部４０とを別体で構成してもよい。
【００６８】
また、上述した実施形態では、シェル接触部３１とグランド用接触部７２ａとは円筒形状で構成したが、四角や六角形の多角形の筒状に形成されたものでもよい。
【符号の説明】
【００６９】
１０    ・・・  同軸コネクタ
２０    ・・・  シェル
３０    ・・・  第１シェル部
３１    ・・・  シェル接触部
３１ａ  ・・・  スリット部
３１ｂ  ・・・  嵌合部
３２    ・・・  第１ロック部（固定手段）
３３    ・・・  枠部
３４    ・・・  係合部
４０    ・・・  第２シェル部
４１    ・・・  本体部
４１ａ  ・・・  本体部の一部分（シェル接続部）
４２    ・・・  側壁部
４３    ・・・  第１バネ部（バネ部；シェル接続部）
４４    ・・・  第２バネ部（シェル接続部）
４５    ・・・  係合部
４６    ・・・  第２ロック部（固定手段）
４７    ・・・  突起部
４８    ・・・  固定部
４８’  ・・・  固定部（固定手段）
５０    ・・・  連結部
６０    ・・・  ＦＰＣ（接続対象）
６１    ・・・  平板部
６２    ・・・  信号導体
６２ａ  ・・・  接触部
６３    ・・・  グランド導体
６３ａ  ・・・  グランド用接続部
６４    ・・・  表側絶縁層
６５    ・・・  裏側絶縁層
６６    ・・・  切り欠き部
７０    ・・・  相手側コネクタ
７１    ・・・  相手側コンタクト
７１ａ  ・・・  信号用接触部
７１ｂ  ・・・  信号用接続部
７１ｃ  ・・・  バネ部
７２    ・・・  相手側シェル
７２ａ  ・・・  グランド用接触部
７２ｂ  ・・・  グランド用接続部
７２ｃ  ・・・  相手側嵌合部
７３    ・・・  相手側ハウジング
【図１】
2014082119.tif 000003
【図２】
2014082119.tif 000004
【図３】
2014082119.tif 000005
【図４】
2014082119.tif 000006
【図５】
2014082119.tif 000007
【図６】
2014082119.tif 000008
【図７】
2014082119.tif 000009
【図８】
2014082119.tif 000010
【図９】
2014082119.tif 000011
【図１０】
2014082119.tif 000012
【図１１】
2014082119.tif 000013